(57)【要約】【目的】  表示セグメントの背景面を光装飾することで、図柄表示における視覚的な興趣を向上することができる遊技機を提供する。【構成】  図柄表示ＬＥＤ１５０と背景ＬＥＤ１５１とを装着するＬＥＤ基板９０と、該ＬＥＤ基板９０を収容する基板ボックス９１と、図柄表示ＬＥＤ１５０の光と背景ＬＥＤ１５１の光とを区分けすると共に、図柄表示ＬＥＤ１５０の光を複数の表示セグメント毎に区分けして前方に投光する筒状の区画投光部材と、を備える。これにより、区画投光部材によって図柄表示ＬＥＤ１５０の光と区分けされた背景ＬＥＤ１５１の光で表示セグメントの背景面を発光表示することができるため、表示セグメントの背景面を光装飾することができ、ひいては図柄表示における視覚的な興趣を向上することができる。【選択図】        図１７
2006136535.tif 000002
【特許請求の範囲】
【請求項１】
遊技盤の表面に形成された遊技領域に設けられると共に、複数の表示セグメントによって図柄を表示する図柄表示装置を備えた遊技機であって、
前記図柄表示装置は、
前記表示セグメントを発光表示するセグメントＬＥＤと前記表示セグメントの背景面を発光表示する背景ＬＥＤとを装着するＬＥＤ基板と、
該ＬＥＤ基板を収容する基板ボックスと、
前記セグメントＬＥＤの光と前記背景ＬＥＤの光とを区分けすると共に、前記セグメントＬＥＤの光を前記複数の表示セグメント毎に区分けして前方に投光する筒状の区画部材と、を備えたことを特徴とする遊技機。
【発明の詳細な説明】
【技術分野】
【０００１】
本発明は、遊技盤の表面に形成された遊技領域に設けられると共に、複数の表示セグメントによって図柄を表示する図柄表示装置を備えた遊技機に関するものである。
【背景技術】
【０００２】
従来、遊技機の一例としてのパチンコ機には、複数セグメントＬＥＤ等の発光部材によって図柄表示を行う図柄表示装置を備えたものがある。このような図柄表示装置としては、７セグメントＬＥＤを装着したＬＥＤ基板を備えると共に、その前方に７セグメント形式の光導出穴が穿設された反射板と、７セグメント形式の表示セグメントが形成された拡散シートとを配置することで、７セグメント形式の図柄表示を行うもの（例えば、特許文献１参照）が提案されている。
【特許文献１】特開平９−２２２５９号公報（図１）
【発明の開示】
【発明が解決しようとする課題】
【０００３】
しかしながら、上記特許文献１のように７セグメント形式で図柄を表示する構成では、ＬＥＤ基板の前方に反射板と拡散シートとを配置することで、図柄自体を発光表示する構成とはなっているものの、図柄（表示セグメント）の背景面を光装飾する構成とはなっていなかった。本発明は、上記した事情に鑑みなされたもので、その目的とするところは、表示セグメントによって図柄を表示する図柄表示装置を備えた遊技機において、表示セグメントの背景面を光装飾することで、図柄表示における視覚的な興趣を向上することができる遊技機を提供することにある。
【課題を解決するための手段】
【０００４】
上記目的を達成するために、請求項１に係る発明においては、遊技盤（４）の表面に形成された遊技領域（１２）に設けられると共に、複数の表示セグメント（レンズ部材１３１に形成された「８」の字状の７セグメント）によって図柄を表示する図柄表示装置（演出ユニット４０）を備えた遊技機（パチンコ機１）であって、前記図柄表示装置は、前記表示セグメントを発光表示するセグメントＬＥＤ（図柄表示ＬＥＤ１５０）と前記表示セグメントの背景面を発光表示する背景ＬＥＤ（１５１）とを装着するＬＥＤ基板（９０）と、該ＬＥＤ基板を収容する基板ボックス（９１）と、前記セグメントＬＥＤの光と前記背景ＬＥＤの光とを区分けすると共に、前記セグメントＬＥＤの光を前記複数の表示セグメント毎に区分けして前方に投光する筒状の区画部材（区画投光部材９５〜９７）と、を備えたことを特徴とする。
【発明の効果】
【０００５】
請求項１に係る発明においては、セグメントＬＥＤの光によって表示セグメントを発光表示して図柄表示を行う一方、区画部材によってセグメントＬＥＤの光と区分けされた背景ＬＥＤの光で表示セグメントの背景面を発光表示することができる。このため、表示セグメントの背景面を光装飾することができ、ひいては図柄表示における視覚的な興趣を向上することができる。
【発明を実施するための最良の形態】
【０００６】
以下、図面を参照して本発明の好適な実施形態について説明する。先ず、図１及び図２を参照して実施形態に係るパチンコ機の全体構成について説明する。図１は、パチンコ機を示す正面図である。図２は、本体枠及び前面枠を開放した状態のパチンコ機を示す斜視図である。
【０００７】
図１及び図２に示すように、パチンコ機１は、外枠２、本体枠３、遊技盤４、前面枠５等を備えて構成されている。外枠２は、上下左右の枠材によって縦長四角形の枠状に形成され、外枠２の前側下部には、本体枠３の下面を受ける下受板６を有している。外枠２の前面一側には、ヒンジ機構７によって本体枠３が前方に開閉可能に装着されている。また、本体枠３は、前枠体８、遊技盤装着枠９、及び機構装着枠１０を合成樹脂材によって一体成形することで構成されている。本体枠３の前側に形成された前枠体８は、外枠２前側の下受板６を除く外郭形状に対応する大きさの矩形枠状に形成されている。
【０００８】
前枠体８の後部に一体的に形成された遊技盤装着枠９には、遊技盤４が前方から着脱交換可能に装着されるようになっている。遊技盤４の盤面（前面）には、外レールと内レールとを備えた案内レール１１が設けられ、該案内レール１１の内側には、遊技領域１２が区画形成されている。遊技盤装着枠９よりも下方に位置する前枠体８の前側下部の一側寄りには、スピーカ装着板１３を介して低音用スピーカ１４が装着されている。また、前枠体８前面の下部領域内の上側部分には、遊技盤４の発射通路に向けて遊技球を導く発射レール１５が傾斜状に装着されている。一方、前枠体８前面の下部領域内の下側部分には、下前面部材１６が装着されている。下前面部材１６前面のほぼ中央には、下皿１７が設けられ、片側寄りには操作ハンドル１８が設けられている。
【０００９】
本体枠３（前枠体８）のヒンジ機構７が設けられる側とは反対側となる開放側の後面には、外枠２に対して本体枠３を施錠する機能と、本体枠３に対して前面枠５を施錠する機能とを兼ね備えた施錠装置１９が装着されている。施錠装置１９は、外枠２に設けられた閉止具２０に係脱可能に係合して本体枠３を閉鎖状態に施錠する上下複数の本体枠施錠フック２１と、前面枠５の開放側の後面に設けられた閉止具２２に係脱可能に係合して前面枠５を閉鎖状態に施錠する上下複数の扉施錠フック２３とを備えている。そして、シリンダー錠２４の鍵穴に鍵が挿入されて一方向に回動操作されることで、本体枠施錠フック２１と外枠２の閉止具２０との係合が解除されて本体枠３が解錠され、これとは逆方向に鍵が回動操作されることで、扉施錠フック２３と前面枠５の閉止具２２との係合が解除されて前面枠５が解錠されるようになっている。なお、シリンダー錠２４の前端部は、パチンコ機１の前方から鍵を挿入して解錠操作が行えるように、前枠体８及び下前面部材１６を貫通して下前面部材１６の前面に露出して配置されている。
【００１０】
本体枠３前面の一側には、ヒンジ機構２５によって前面枠５が前方に開閉可能に装着されている。前面枠５は、扉本体フレーム２６、サイド装飾装置２７、上皿２８、音響電飾装置２９を備えて構成されている。扉本体フレーム２６は、プレス加工された金属製フレーム部材によって構成され、前枠体８の上端から下前面部材１６の上縁に亘る部分を覆う大きさに形成されている。扉本体フレーム２６のほぼ中央には、遊技盤４の遊技領域１２を前方から透視可能なほぼ円形状の開口窓３０が形成されている。また、扉本体フレーム２６の後側には、開口窓３０よりも大きい矩形枠状をなす窓枠３１が設けられ、該窓枠３１には、透明板３２が装着されている。
【００１１】
扉本体フレーム２６の前側には、開口窓３０の周囲において、左右両側部にサイド装飾装置２７が、下部に上皿２８が、上部に音響電飾装置２９が装着されている。サイド装飾装置２７は、ランプ基板が内部に配置され且つ合成樹脂材によって形成されたサイド装飾体３３を主体として構成されている。サイド装飾体３３には、横方向に長いスリット状の開口孔が上下方向に複数配列されており、該開口孔には、ランプ基板に配置された光源に対応するレンズ３４が組み込まれている。音響電飾装置２９は、透明カバー体３５、スピーカ３６、スピーカカバー３７、及びリフレクタ体（図示しない）等を備え、これらの構成部材が相互に組み付けられてユニット化されている。
【００１２】
次に、遊技盤４に区画形成された遊技領域１２内に設けられる各種構成部材について図３を参照して説明する。図３は、遊技盤を示す正面図である。
【００１３】
遊技領域１２のほぼ中央には、左・中・右の特別図柄を個々に変動表示する特別図柄表示器４１が配置され、該特別図柄表示器４１の外周部分には、表飾り部材４２が設けられている。なお、特別図柄表示器４１及び表飾り部材４２は、後で詳述する演出ユニット４０として構成されている。特別図柄表示器４１の下方には、一対の開閉翼４７を有する電動始動入賞口４６が配設されている。電動始動入賞口４６は、図示しない普通図柄表示器の表示結果が「当り」となったときに、開閉翼４７が所定時間（例えば、通常時０．５秒又は確率変動時３秒）開放されるように制御される。また、電動始動入賞口４６に入賞した遊技球は、始動口センサ（図示しない）によって検出され、この検出に基づいて特別図柄表示器４１で特別図柄の変動表示が許可される。
【００１４】
電動始動入賞口４６の下方には、横長長方形状の大入賞口６１を開閉する開閉板６２を有する大入賞口装置６０が配設されている。大入賞口装置６０は、大入賞口６１（開閉板６２）の開閉用駆動源となるソレノイドと、大入賞口６１に入賞した遊技球を検出するカウントセンサと（共に図示しない）を備えている。大入賞口装置６０の下方となる遊技領域１２の最下部には、遊技領域１２を流下していずれの入賞口や入賞装置にも入賞しなかった遊技球が取り込まれるアウト口４８が設けられている。特別図柄表示器４１の左右側方には、普通図柄表示器で普通図柄の変動表示を許可するゲートセンサ５３が設けられている。なお、普通図柄の変動中にゲートセンサ５３を通過した遊技球は、所定個数（例えば、４個）まで記憶可能であり、その記憶数は、複数個の発光体（例えば、４個のＬＥＤ）からなる普通記憶ランプ（図示しない）の点灯によって表示される。
【００１５】
遊技盤４に設けられる各種の入賞装置等によって実現される遊技について説明すると、パチンコ機１の裏面側に設けられる発射装置（図示しない）によって打ち出されて発射レール１５及び案内レール１１を通って遊技領域１２に放出された遊技球は、遊技領域１２を障害釘等に衝突しながらアウト口４８に向かって流下する。遊技領域１２を流下する遊技球がゲートセンサ５３によって検出されると、普通図柄表示器で普通図柄が変動表示され、その表示結果が「当り」であるときに電動始動入賞口４６の開閉翼４７が所定時間（例えば、０．５秒）開放される。もちろん、普通図柄表示器の表示結果が「ハズレ」の場合、開閉翼４７が開放されることはないが、開閉翼４７が開放しなくても遊技球は、電動始動入賞口４６に入賞し得るようになっている。
【００１６】
そして、電動始動入賞口４６に遊技球が入賞すると、特別図柄表示器４１で特別図柄が変動を開始して、所定時間経過した後に停止する。その停止した時の複数の図柄が特定の表示態様（組み合せ）になると、「大当り遊技状態」となって、大入賞口装置６０の開閉板６２が手前側に倒れて大入賞口６１を開放し、所定時間（例えば、３０秒）、あるいは所定個数（例えば、１０個）の入賞があるまで大入賞口６１を開放した状態に維持する。その後、開閉板６２の起立により大入賞口６１が一旦閉じられ、大入賞口６１に少なくとも１個以上の入賞があることを条件として、再度、開閉板６２が手前側に倒れることにより、大入賞口６１が開放される開閉サイクル（ラウンド）を最高１６回繰り返すようになっている。なお、特別図柄の変動中に電動始動入賞口４６に入賞した遊技球は、所定個数（例えば、４個）まで記憶可能であり、その記憶数（始動記憶数）は、複数個の発光体（例えば、４個のＬＥＤ）からなる保留球ランプ（図示しない）の点灯によって表示される。また、ラウンドを継続する条件は、上記した構成に限定しない。例えば、大入賞口装置６０内にＶ入賞センサを設け、該Ｖ入賞センサで遊技球を検出したことを条件としてラウンドを継続するようにしてもよい。さらには、ラウンド継続の条件をなくし、大当り遊技状態が発生すると無条件にラウンドを１６回繰り返すようにしてもよい。
【００１７】
次に、本実施形態の要部を構成する演出ユニット４０について図４乃至図１８を参照して説明する。図４は、演出ユニットを示す斜視図である。図５は、表飾り部材を示す斜視図である。図６は、特別図柄表示器を示す斜視図である。図７は、装飾基体を示す正面図である。図８は、透光体を示す正面図である。図９は、表飾り部材を示す背面斜視図である。図１０は、ＬＥＤ基板を示す斜視図である。図１１は、前側筐体を示す斜視図である。図１２は、前側筐体を示す背面図である。図１３は、後側筐体を示す斜視図である。図１４は、区画投光部材を示す斜視図である。図１５は、被覆装飾部材を示す背面斜視図である。図１６は、レンズ部材及び拡散シートを示す斜視図である。図１７は、特別図柄表示器を遊技盤に取り付けた状態を示す正面図である。図１８は、演出ユニットを遊技盤に取り付けた状態を示す側面図である。
【００１８】
図４に示すように、演出ユニット４０は、図５に示す表飾り部材４２と図６に示す特別図柄表示器４１とのユニット化によって構成されている。表飾り部材４２は、図７に示す装飾基体７０と図８に示す透光体７１〜７３との組付体によって形成されている。装飾基体７０は、非透光性の合成樹脂材料からなり、横長楕円の額縁形状をなして特別図柄表示器４１の図柄表示部４１ａが臨設される表示窓部７４と、該表示窓部７４の上方及び左右側方に設けられて透光体７１〜７３を個々に取り付ける取付部７５〜７７と、表飾り部材４２を遊技盤４表面（遊技領域１２）にビス止めするためのビス止め穴７８ａが穿設された鍔状フランジ部７８と、が形成されている。なお、取付部７５〜７７には、それぞれ透光体７１〜７３を裏面側からビス止めするためのビス止め穴（図示しない）が穿設されている。
【００１９】
また、装飾基体７０の裏面側には、図９に示すように、特別図柄表示器４１に対して表飾り部材４２を位置決めするための位置決め突起７９が突設されている。透光体７１〜７３は、それぞれ透光性の合成樹脂材料からなる。透光体７１は、「ＰＡＳＳＩＯＮ」の文字を図案化した形状をなし、表示窓部７４の上方の取付部７５にビス止めするためのビス止め穴８０が穿設されている。透光体７２，７３は、相互に左右対称の円弧形状をなし、表示窓部７４の左右側方の取付部７６，７７にビス止めするためのビス止め穴８１，８２が穿設されている。なお、透光体７２，７３は、それぞれレンズ部材によって形成されている。
【００２０】
特別図柄表示器４１は、図６に示すように、ＬＥＤ基板９０と、該ＬＥＤ基板９０を収容する基板ボックス９１と、を備えている。ＬＥＤ基板９０には、図１０に示すように、特別図柄表示器４１と表飾り部材４２との組み付け状態において、「ＰＡＳＳＩＯＮ」の文字を図案化した透光体７１の裏面側から光を照射する複数の装飾ＬＥＤ９２と、左側の円弧形状の透光体７２の裏面側から光を照射する複数の装飾ＬＥＤ９３と、右側の円弧形状の透光体７３の裏面側から光を照射する複数の装飾ＬＥＤ９４と、図柄表示部４１ａに左・中・右の特別図柄を表示するための複数の図柄表示ＬＥＤ１５０（図１７参照）と、特別図柄の背景面を光装飾するための背景ＬＥＤ１５１（図１７参照）と、が実装されている。
【００２１】
なお、図柄表示ＬＥＤ１５０は、左図柄用、中図柄用、右図柄用の３種類に分類され、これら左・中・右の図柄表示ＬＥＤ１５０の前方には、それぞれ７セグメント形式に区画形成された区画投光部材９５〜９７等の各種構成部材が配置される。これにより、左・中・右の特別図柄は、それぞれ複数の図柄表示ＬＥＤ１５０の点灯／消灯の各種組合せによって「０〜９」の数字が７セグメント形式の表示形態で表示されるようになっている。図柄表示ＬＥＤ１５０の前方に配置される区画投光部材９５〜９７等の各種構成部材については後で詳述する。透光体７１照射用の装飾ＬＥＤ９２の外周部分には、装飾ＬＥＤ９２から照射される光が透光体７１以外の部分（例えば、透光体７２，７３等）を照射しないようにリフレクター９８が取り付けられている。また、ＬＥＤ基板９０の四隅部分には、基板ボックス９１内にＬＥＤ基板９０を取り付け固定するための取付穴９９が穿設されている。但し、一方の対角線上の隅角部分に穿設された取付穴９９は、後述する前側筐体１００の位置決め突起１１１及び後側筐体１０１の位置決め穴１１４ａと対応する位置決め穴として機能する一方、他方の対角線上の隅角部分に穿設された取付穴９９は、後述する前側筐体１００のビス止め穴１１２及び後側筐体１０１のビス止め穴１１５ａと対応するビス止め穴として機能するものである。
【００２２】
基板ボックス９１は、前側筐体１００と後側筐体１０１とから構成されており、前側筐体１００及び後側筐体１０１は、それぞれ透明な合成樹脂材料によって形成されている。前側筐体１００の前面側には、図１１に示すように、図柄表示部４１ａの基部を形成する表示突出部１０２が中央部分に形成され、四隅部分には位置決め突出部１０３が形成されている。表示突出部１０２は、区画投光部材９５〜９７を個々に取り付けるための取付開口１０４〜１０６が穿設され、特別図柄表示器４１と表飾り部材４２との組み付け状態において、装飾基体７０の表示窓部７４に内嵌して組み付けられる。なお、取付開口１０４〜１０６以外となる表示突出部１０２の前面部分は、レンズ部１０２ａとして形成され、基板ボックス９１内にＬＥＤ基板９０を収容した状態で、背景ＬＥＤ１５１の光を前方に拡散して投光することで特別図柄の背景面を構成するようになっている。
【００２３】
また、前側筐体１００には、挿通穴１０７〜１０９と位置決め穴１１０とが穿設されている。挿通穴１０７は、基板ボックス９１内にＬＥＤ基板９０を収容した状態で、装飾ＬＥＤ９２及びリフレクター９８を挿通する穴であり、挿通穴１０８，１０９は、基板ボックス９１内にＬＥＤ基板９０を収容した状態で、個々に装飾ＬＥＤ９３，９４を挿通する穴である。位置決め穴１１０は、装飾基体７０の位置決め突起７９との係合によって表飾り部材４２を特別図柄表示器４１に位置決めする穴である。
【００２４】
前側筐体１００の裏面側には、図１２に示すように、基板ボックス９１内でＬＥＤ基板９０を位置決めするための位置決め突起１１１が一方の対角線上の隅角部分に形成され、他方の対角線上の隅角部分には、ＬＥＤ基板９０を基板ボックス９１内にビス止めするためのビス止め穴１１２が形成されている。なお、前側筐体１００の上辺部分には、ＬＥＤ基板９０からの発熱を外部に放出するための放熱穴１１３が穿設されている。
【００２５】
一方、後側筐体１０１には、図１３に示すように、前側筐体１００の位置決め突起１１１と係合する位置決め穴１１４ａが穿設された位置決めボス１１４と、前側筐体１００のビス止め穴１１２と対応するビス止め穴１１５ａが穿設された取付ボス１１５とが形成されている。また、後側筐体１０１には、基板ボックス９１の外部に設けられる表示制御基板（図示しない）を基板ボックス９１内のＬＥＤ基板９０に接続するための接続開口１１６と、複数の放熱穴１１７とが穿設されている。なお、ＬＥＤ基板９０に実装される各種ＬＥＤ９２〜９４，１５０，１５１は、表示制御基板の制御に基づいて多色発光を行い、より多彩な光装飾を可能にしている。但し、左右の図柄表示用となる図柄表示ＬＥＤ１５０は、赤色、青色の２色のＬＥＤから構成され、最終停止図柄となる中図柄表示用の図柄表示ＬＥＤ１５０は、赤色、青色、緑色の３色のＬＥＤから構成されている。
【００２６】
次に、図柄表示ＬＥＤ１５０の前方に配置される区画投光部材９５〜９７等の各種構成部材について説明する。なお、左・中・右の図柄表示ＬＥＤ１５０の前方には、それぞれ同様の構成部材が配置されるため、便宜的に、中図柄表示ＬＥＤ１５０の前方に配置される構成部材についてのみ説明を行い、同様の構成部材には同一の符号を付記する。但し、以下に説明する図柄表示ＬＥＤ１５０の前方に配置される各種構成部材は、基板ボックス９１を構成する前側筐体１００の表示突出部１０２（取付開口１０４〜１０６）に取り付けられ、基板ボックス９１内にＬＥＤ基板９０を収容した状態で、図柄表示ＬＥＤ１５０の前方に配置される。また、図柄表示部４１ａでの最終停止図柄となる中図柄は、左右の図柄に比べて注目度が高くなるように大き目の構成部材によって形成され、且つ前方（遊技者側）への突出量が大きく形成されている。
【００２７】
中図柄を形成する区画投光部材９６は、図１４に示すように、区画片部１２０によって７つの投光部１２１に区画され、正面視で「８」の字状の７セグメント形状に形成されている。「８」の字を形成する上下の穴部には、ビス止め穴１２２ａを穿設した取付片部１２２が形成されている。区画投光部材９６の外周壁には、鍔状フランジ部１２３が全周に亘って形成されている。鍔状フランジ部１２３は、前側筐体１００の取付開口１０５に形成される取付フランジ部１０５ａ（図１１参照）との当接によって前側筐体１００に対する区画投光部材９６の取付位置を規制するものである。
【００２８】
また、区画投光部材９６の前側部分には、図１５に示す被覆装飾部材１３０と、図１６に示すレンズ部材１３１及び拡散シート１３２とが取り付けられる。被覆装飾部材１３０は、非透光性の合成樹脂材料から形成されると共に、区画投光部材９６の７つの投光部１２１と個々に対応する７つの投光穴１３３が穿設され、正面視で「８」の字状の７セグメント形状に形成されている。「８」の字を形成する上下の穴部には、被覆装飾部材１３０と区画投光部材９６との組み付け状態において、区画投光部材９６の取付片部１２２（ビス止め穴１２２ａ）を前方から被覆する被覆片部１３４が形成されており、該被覆片部１３４の裏面には、ビス止め穴１２２ａと対応する取付ボス１３５が突設されている。
【００２９】
レンズ部材１３１及び拡散シート１３２は、それぞれ被覆装飾部材１３０に内嵌する「８」の字形状に形成されている。レンズ部材１３１には、被覆装飾部材１３０の７つの投光穴１３３と個々に対応する７つのレンズ部１３６が形成されている。拡散シート１３２は、光拡散性を有するシート材料によって形成されている。
【００３０】
そして、区画投光部材９６が前側筐体１００の取付開口１０５に裏面側から挿入される一方、レンズ部材１３１及び拡散シート１３２を内嵌した被覆装飾部材１３０が取付開口１０５に前面側から挿入され（この状態で、区画投光部材９６の鍔状フランジ部１２３と被覆装飾部材１３０の側壁後端部とで取付開口１０５に形成された取付フランジ部１０５ａを挟持した状態となる）、区画投光部材９６のビス止め穴１２２ａと被覆装飾部材１３０の取付ボス１３５とが裏面側からビスで共締めされることで、前側筐体１００の表示突出部１０２（取付開口１０５）に、区画投光部材９６、被覆装飾部材１３０、レンズ部材１３１、及び拡散シート１３２の各種構成部材が取り付けられる。また、これと同様にして、左図柄を形成する区画投光部材９５、被覆装飾部材１３０、レンズ部材１３１、及び拡散シート１３２が表示突出部１０２の取付開口１０４に取り付けられ、右図柄を形成する区画投光部材９７、被覆装飾部材１３０、レンズ部材１３１、及び拡散シート１３２が表示突出部１０２の取付開口１０６に取り付けられる。
【００３１】
次に、上記のようにして区画投光部材９５〜９７等の各種構成部材を組み付けた前側筐体１００と、後側筐体１０１との間にＬＥＤ基板９０を挟持し、後側筐体１０１のビス止め穴１１５ａからビス止めすることで、基板ボックス９１内にＬＥＤ基板９０を収容固定した特別図柄表示器４１が構成される。この状態で、ＬＥＤ基板９０に実装された装飾ＬＥＤ９２と該装飾ＬＥＤ９２の近傍に取り付けられたリフレクター９８は、前側筐体１００の挿通穴１０７を通して外部に露出され、左右の装飾ＬＥＤ９３，９４も同様に前側筐体１００の各挿通穴１０８，１０９を通して外部に露出される。また、ＬＥＤ基板９０に実装された複数の図柄表示ＬＥＤ１５０は、それぞれ区画投光部材９５〜９７の各投光部１２１内に配置され、背景ＬＥＤ１５１は、区画投光部材９５〜９７外周となる表示突出部１０２内に配置される。
【００３２】
特別図柄表示器４１は、図１７及び図１８に示すように、遊技盤４の裏面側から遊技盤４に穿設された挿通穴１４０を通して、前側筐体１００の表示突出部１０２が前方に挿通して配置され、図示しない取付金具を介して遊技盤４の裏面に取り付けられる。このとき、前側筐体１００の位置決め突出部１０３は、その前端面が遊技盤４の裏面と当接することで、遊技盤４に対する特別図柄表示器４１の前後方向での位置決めを行う。なお、挿通穴１４０は、特別図柄表示器４１を遊技盤４に取り付けた状態で、各装飾ＬＥＤ９２〜９４とリフレクター９８と位置決め穴１１０とを前方に露出し得る穴形状に形成されており、挿通穴１４０の大きさは、透光体７２，７３の外周よりも僅かに小さい程度（透光体７２，７３の肉厚（図９中に透光体７３の肉厚を図示）分小さい程度）の大きさである。また、装飾ＬＥＤ９３，９４は、それぞれ挿通穴１４０に接するようにして配置される。
【００３３】
次に、挿通穴１４０の前方から表飾り部材４２を挿入して、装飾基体７０の表示窓部７４に特別図柄表示器４１側の表示突出部１０２を内嵌する。このとき、表飾り部材４２は、位置決め突起７９が特別図柄表示器４１側の位置決め穴１１０と係合することで、遊技盤４に取り付けられた特別図柄表示器４１に対しての位置決めが行われる。そして、この状態から、鍔状フランジ部７８のビス止め穴７８ａを遊技盤４に穿設された取付穴１４１にビス止めすることで、特別図柄表示器４１及び表飾り部材４２から構成される演出ユニット４０が遊技盤４に組み付けられる。
【００３４】
しかして、上記した演出ユニット４０の組み付け状態において、装飾ＬＥＤ９２を点灯することで、装飾ＬＥＤ９２の光が挿通穴１４０の側面とレフレクター９８の内壁面を導光路として「ＰＡＳＳＩＯＮ」の透光体７１を光装飾する。また、装飾ＬＥＤ９３，９４を点灯することで、装飾ＬＥＤ９３，９４の光が挿通穴１４０の側面と表示窓部７４の外壁面とを導光路として左側円弧状の透光体７２及び右側円弧状の透光体７３をそれぞれ光装飾する。なお、装飾ＬＥＤ９２〜９４は、位置決め突出部１０３による特別図柄表示器４１の遊技盤４裏面での位置決めによって、透光体７１〜７３から適正な距離を保って配置されている。これにより、装飾ＬＥＤ９２〜９４の光がそれぞれ透光体７１〜７３全体に均等に投光されて拡散性を向上するようになっている。さらには、複数の図柄表示ＬＥＤ１５０の点灯／消灯の組合せによってレンズ部材１３１の複数のレンズ部１３６のうち任意のレンズ部１３６から発光を行うことで、図柄表示部４１ａに左・中・右の特別図柄を表示し、また、背景ＬＥＤ１５１を点灯することで表示突出部１０２前面のレンズ部１０２ａを特別図柄の背景面として光装飾する。
【００３５】
なお、上記した実施形態では、遊技盤４の裏面側に取り付けられる特別図柄表示器４１と遊技盤４の前面側に取り付けられる表飾り部材４２によって演出ユニット４０を構成しているが、これに限らず、図１９に示すように、特別図柄表示器４１によってのみ演出ユニット４０を構成してもよい。但し、この場合には、遊技盤４に穿設される挿通穴１４０’を表示突出部１０２が嵌入する穴形状に形成し、表示突出部１０２の外周部分が演出ユニット４０の前面外周端部を構成するものとする。
【００３６】
以上のように、本実施形態の構成によれば、図柄表示ＬＥＤ１５０の光によって表示セグメント（レンズ部材１３１に形成された「８」の字状の７セグメント）を発光表示して図柄表示を行う一方、区画投光部材９５〜９７によって図柄表示ＬＥＤ１５０の光と区分けされた背景ＬＥＤ１５１の光で表示セグメントの背景面を発光表示することができる。このため、表示セグメントの背景面を光装飾することができ、ひいては図柄表示における視覚的な興趣を向上することができる。
【００３７】
なお、上記した実施形態では、基板ボックス内に収容されるＬＥＤ基板をＬＥＤのみが実装される基板としているが、これに限定するものではない。例えば、ＬＥＤと該ＬＥＤの点灯を制御するマイクロコンピュータとを共に実装する基板を本発明に係るＬＥＤ基板としてもよい。
【００３８】
また、上記した実施形態から把握できる発明として下記のような発明がある。
（実施発明１）特許請求の範囲における請求項１記載の発明において、前記基板ボックスは、前記背景ＬＥＤの光を前方に投光する投光面部（レンズ部１０２ａ）が前記背景面として形成されると共に前記区画部材を収容する表示突出部（１０２）を備え、前記表示突出部は、前記遊技盤に穿設された挿通穴（１４０）に裏面側から取り付けられて前記投光面部が前記遊技領域に臨設されることを特徴とする遊技機。
【００３９】
上記のように実施形態から把握できる発明においては、セグメントＬＥＤの光を区分けする区画部材に加えて背景面を発光表示する背景ＬＥＤをも含んだ状態で表示突出部が遊技盤の前面に突出して設けられるため、表示突出部の端部まで光表飾することができるというメリットがある。
（実施発明２）特許請求の範囲における請求項１又は（実施発明１）記載の発明において、前記区画部材は、前記複数の表示セグメントを７セグメント形式に区分けすると共に、前記図柄を３桁に表示する３つの部材（区画投光部材９５〜９７）から構成され、中央位置の図柄（中図柄）を構成する区画部材（区画投光部材９６）は、他の図柄（左右の図柄）を構成する区画部材（区画投光部材９５，９７）に比べて大きく形成されていることを特徴とする遊技機。
【００４０】
上記のように実施形態から把握できる発明においては、中図柄を強調して目立たせることができる。なお、左・中・右の３桁の図柄を変動表示する図柄表示装置を備えた多くのパチンコ機では、中図柄を最終停止図柄として当落のリーチ演出を中図柄で行っている。このため、遊技者の関心が最も高い中図柄を強調して目立たせることができるというメリットがある。
（実施発明３）特許請求の範囲における請求項１又は（実施発明１）、（実施発明２）記載の発明において、前記セグメントＬＥＤは、多色発光ＬＥＤもしくは異なる色に発光する複数のＬＥＤから構成されることを特徴とする遊技機。
【００４１】
上記のように実施形態から把握できる発明においては、図柄の表示色を多彩にでき、視覚的な興趣を向上することができるというメリットがある。
（実施発明４）前記（実施発明３）記載の発明において、前記中央位置の図柄を構成するセグメントＬＥＤは、他の図柄を構成するセグメントＬＥＤに比べて発色する種類が多いことを特徴とする遊技機。
【００４２】
上記のように実施形態から把握できる発明においては、リーチ演出に関わる最終停止図柄の中図柄をより一層強調して表示することができるというメリットがある。
（実施発明５）特許請求の範囲における請求項１又は（実施発明１）〜（実施発明４）記載の発明において、前記表示セグメントは、凸状に形成されていることを特徴とする遊技機。
【００４３】
上記のように実施形態から把握できる発明においては、正面視に限らず若干斜めからの視認に対しても視認性を高めることができるというメリットがある。
（実施発明６）前記（実施発明１）〜（実施発明５）記載の発明において、前記遊技盤の裏面側に配置される前記基板ボックスは、前記遊技盤との間隔を所定量に規制する間隔規制部（位置決め突出部１０３）を備えたことを特徴とする遊技機。
【００４４】
上記のように実施形態から把握できる発明においては、指向性の強いＬＥＤと表示セグメント及び背景面の投光面部とをある程度距離を離して配置することができるので、表示セグメント及び背景面をきれいな発色で発光表示することができるというメリットがある。
【図面の簡単な説明】
【００４５】
【図１】パチンコ機を示す正面図である。
【図２】本体枠及び前面枠を開放した状態のパチンコ機を示す斜視図である。
【図３】遊技盤を示す正面図である。
【図４】演出ユニットを示す斜視図である。
【図５】表飾り部材を示す斜視図である。
【図６】特別図柄表示器を示す斜視図である。
【図７】装飾基体を示す正面図である。
【図８】透光体を示す正面図である。
【図９】表飾り部材を示す背面斜視図である。
【図１０】ＬＥＤ基板を示す斜視図である。
【図１１】前側筐体を示す斜視図である。
【図１２】前側筐体を示す背面図である。
【図１３】後側筐体を示す斜視図である。
【図１４】区画投光部材を示す斜視図である。
【図１５】被覆装飾部材を示す背面斜視図である。
【図１６】レンズ部材及び拡散シートを示す斜視図である。
【図１７】特別図柄表示器を遊技盤に取り付けた状態を示す正面図である。
【図１８】演出ユニットを遊技盤に取り付けた状態を示す側面図である。
【図１９】変形例における演出ユニットを遊技盤に取り付けた状態を示す正面図である。
【符号の説明】
【００４６】
１  パチンコ機（遊技機）
４  遊技盤
１２  遊技領域
４０  演出ユニット（図柄表示装置）
４１  特別図柄表示器
４１ａ  図柄表示部
４２  表飾り部材
４６  電動始動入賞口
６０  大入賞口装置
６１  大入賞口
７０  装飾基体
７１〜７３  透光体
９０  ＬＥＤ基板
９１  基板ボックス
９５〜９７  区画投光部材（区画部材）
１００  前側筐体
１０１  後側筐体
１０２  表示突出部
１３０  被覆装飾部材
１３１  レンズ部材
１３２  拡散シート
１４０，１４０’  挿通穴
１５０  図柄表示ＬＥＤ（セグメントＬＥＤ）
１５１  背景ＬＥＤ
【図１】
2006136535.tif 000003
【図２】
2006136535.tif 000004
【図３】
2006136535.tif 000005
【図４】
2006136535.tif 000006
【図５】
2006136535.tif 000007
【図６】
2006136535.tif 000008
【図７】
2006136535.tif 000009
【図８】
2006136535.tif 000010
【図９】
2006136535.tif 000011
【図１０】
2006136535.tif 000012
【図１１】
2006136535.tif 000013
【図１２】
2006136535.tif 000014
【図１３】
2006136535.tif 000015
【図１４】
2006136535.tif 000016
【図１５】
2006136535.tif 000017
【図１６】
2006136535.tif 000018
【図１７】
2006136535.tif 000019
【図１８】
2006136535.tif 000020
【図１９】
2006136535.tif 000021